(57)【要約】【課題】プラグコネクタを回路板上に直接組み込み、レセプタクルコネクタと電気的に接続することができる、電気コネクタアセンブリの提供。【解決手段】本発明の電気コネクタアセンブリは、特にケーブルのプラグコネクタに関し、前記プラグコネクタは、回路板上に設置された相互に対応するレセプタクルコネクタの収容空間内に垂直に組み込むことができ、かつ前記プラグコネクタが第１組み付け部を備え、前記回路板が前記第１係合部に対応する第２係合部を備え、前記プラグコネクタを前記回路板上に直接組み込み、固定することができる。【選択図】図１
2016146342.tif 000002
【特許請求の範囲】
【請求項１】
電気コネクタアセンブリであって、プラグコネクタと、相互に対応するレセプタクルコネクタを含み、
ケーブルに連結される前記プラグコネクタが、回路板上に前記相互に対応するレセプタクルコネクタと電気的に接続され、かつ前記プラグコネクタが絶縁本体を備え、
前記絶縁本体に第１係合部が設けられ、前記相互に対応するレセプタクルコネクタが前記プラグコネクタを収容できる収容空間を備え、かつ前記回路板上に前記プラグコネクタの第１係合部に対応する第２係合部が設けられることで、前記プラグコネクタを前記回路板上に組み込み、固定することを特徴とする、電気コネクタアセンブリ。
【請求項２】
前記第１係合部が、前記絶縁本体から下方向に延伸して形成されることを特徴とする、請求項１に記載の電気コネクタアセンブリ。
【請求項３】
前記第１係合部が一対のツメであり、
前記一対のツメは相互に対称であり、かつ前記一対のツメの間に距離を備え、
前記一対のツメが圧迫を受けると弾性変形が起こされ、前記回路板の第２係合部は前記第１係合部の前記一対のツメに合わせた嵌合孔であることを特徴とする、請求項２に記載の電気コネクタアセンブリ。
【請求項４】
前記第１係合部が、前記絶縁本体の両側端部から延伸して形成され、かつ延伸された部分が前記レセプタクルコネクタの両側端部を越えることを特徴とする、請求項１に記載の電気コネクタアセンブリ。
【請求項５】
前記絶縁本体の両側端部から延伸された前記第１係合部が一対のツメであり、
前記一対のツメは相互に対称であり、かつ前記一対のツメの間に距離を備え、
前記一対のツメが圧迫を受けると弾性変形が起こされ、前記回路板の第２係合部は、前記絶縁本体の両側端部から延伸された前記第１係合部に対応する箇所に嵌合孔を備えていることを特徴とする、請求項４に記載の電気コネクタアセンブリ。
【請求項６】
電気コネクタアセンブリであって、プラグコネクタと、相互に対応するレセプタクルコネクタと、前記プラグコネクタと前記相互に対応するレセプタクルコネクタ上を覆う第１係合部を含み、
ケーブルに連結される前記プラグコネクタが、回路板上に前記相互に対応するレセプタクルコネクタと電気的に接続され、かつ前記相互に対応するレセプタクルコネクタが前記プラグコネクタを収容できる収容空間を備え、かつ前記回路板上に前記第１係合部に対応する第２係合部が設けられることで、前記プラグコネクタと前記相互に対応するレセプタクルコネクタを、前記第１係合部により覆い、かつ前記回路板上に固定することを特徴とする、電気コネクタアセンブリ。
【請求項７】
前記第１係合部が冂字状の蓋体であり、かつ前記第１係合部は両側にそれぞれ一対のツメを備え、前記一対のツメは相互に対称であり、かつ前記一対のツメの間に距離を備え、
前記一対のツメが圧迫を受けると弾性変形が起こされ、前記回路板の第２係合部は前記第１係合部に合わせた箇所に対応する嵌合孔を備えていることを特徴とする、請求項６に記載の電気コネクタアセンブリ。
【請求項８】
プラグコネクタであって、ケーブルに連結される前記プラグコネクタが回路板上に相互に対応するレセプタクルコネクタと電気的に接続され、
前記プラグコネクタが前記レセプタクルコネクタの収容空間内に収容され、かつ前記プラグコネクタが絶縁本体を備え、
前記絶縁本体に第１係合部が設けられ、前記プラグコネクタの第１係合部を前記回路板上に対応して設けられた第２係合部に組み込み、前記プラグコネクタを前記回路板上に組み込んで固定することができることを特徴とする、プラグコネクタ。
【請求項９】
前記第１係合部が、前記絶縁本体の両側端部から延伸して形成され、かつ延伸された部分が前記レセプタクルコネクタの両側端部を越えることを特徴とする、請求項８に記載のプラグコネクタ。
【請求項１０】
前記絶縁本体の両側端部から延伸された前記第１係合部が一対のツメであり、
前記一対のツメは相互に対称であり、かつ前記一対のツメの間に距離を備え、
前記一対のツメが圧迫を受けると弾性変形が起こされ、前記回路板の第２係合部は、前記絶縁本体の両側端部から延伸された前記第１係合部に対応する箇所に嵌合孔を備えていることを特徴とする、請求項９に記載のプラグコネクタ。
【発明の詳細な説明】
【技術分野】
【０００１】
本発明は電気コネクタアセンブリに関し、特に、プラグコネクタを回路板上に直接組み込み、レセプタクルコネクタと電気的に接続することができる、電気コネクタアセンブリに関する。
【背景技術】
【０００２】
科学技術時代の到来に伴い、さまざまな電子製品が絶え間なく発展を続けている。関連機器の機能向上が要求されると同時に、電子部材の安定性に対する要求も相対して高まっており、より高い電気性能と複雑さを増す使用環境に対応するため、コネクタは主に各電子製品間の接続と信号伝送の重要な手段となっている。
【０００３】
電線対基板コネクタはすでに各種のモバイル通信機器及び各種個人用端末で広く応用されており、これら機器内部の各機能性部材と基板間の信号または電源の接続と伝送を実現している。従来の電線対基板コネクタアセンブリは、通常、プラグコネクタとレセプタクルコネクタを含み、前記電線対基板コネクタアセンブリにおいて、プラグコネクタの挿入方向は水平挿入と垂直挿入の２種類の挿入方式があるが、従来の電線対基板コネクタアセンブリのプラグコネクタは挿入方向が水平挿入または垂直挿入のどちらの方式であっても、そのプラグコネクタとレセプタクルコネクタの固定方式が通常レセプタクルコネクタとプラグコネクタのプラスチック絶縁本体上にそれぞれ相互に対応させて組み込む構造が設置されている。それによりプラグコネクタ自体の保持力を高め、プラグコネクタの離脱を防止しているが、この組み込み構造が提供する保持力には限りがあり、かつ構造上も強固であるとは言えず、複数回の挿抜後、通常破損しやすくなる。
【０００４】
このため、プラグコネクタとレセプタクルコネクタの組み込み固定構造をいかに強化して、プラグコネクタとレセプタクルコネクタが複数回挿抜されると破損しやすくなる状況を回避するかが、現在解決の必要がある問題である。
【発明の概要】
【発明が解決しようとする課題】
【０００５】
本発明の目的は、プラグコネクタを回路板上に直接組み込み、レセプタクルコネクタと電気的に接続することができる、電気コネクタアセンブリを提供することにある。
【０００６】
本発明の別の目的は、プラグコネクタとレセプタクルコネクタの構造寿命を高めた電気コネクタアセンブリを提供することにある。
【課題を解決するための手段】
【０００７】
上述の目的を達成するため、本発明の電気コネクタアセンブリは、プラグコネクタと、相互に対応するレセプタクルコネクタを含み、ケーブルに連結される前記プラグコネクタが、回路板上に前記相互に対応するレセプタクルコネクタと電気的に接続され、かつ前記プラグコネクタが絶縁本体を備え、前記絶縁本体に第１係合部が設けられることで、前記相互に対応するレセプタクルコネクタが前記プラグコネクタを収容できる収容空間を備え、かつ前記回路板上に前記プラグコネクタの第１係合部に対応する第２係合部が設けられ、前記プラグコネクタを前記回路板上に組み込み、固定することができる。
【０００８】
上述の第１係合部は、前記絶縁本体から下方向に延伸して形成される。
【０００９】
上述の第１係合部は一対のツメであり、前記一対のツメは相互に対称であり、かつ前記一対のツメの間に距離を備え、前記一対のツメが圧迫を受けると弾性変形が起こされ、前記回路板の第２係合部は前記第１係合部の前記一対のツメに合わせた嵌合孔である。
【００１０】
上述の第１係合部は、前記絶縁本体の両側端部から延伸して形成され、かつ延伸された部分が前記レセプタクルコネクタの両側端部を越える。
【００１１】
上述の絶縁本体の両側端部から延伸された前記第１係合部は一対のツメであり、前記一対のツメは相互に対称であり、かつ前記一対のツメの間に距離を備え、前記一対のツメが圧迫を受けると弾性変形が起こされ、前記回路板の第２係合部は、前記絶縁本体の両側端部から延伸された前記第１係合部に対応する箇所に嵌合孔を備えている。
【００１２】
上述の目的を達成するため、別の電気コネクタアセンブリは、プラグコネクタと、相互に対応するレセプタクルコネクタと、前記プラグコネクタと前記相互に対応するレセプタクルコネクタ上を覆う第１係合部を含み、ケーブルに連結される前記プラグコネクタが、回路板上に前記相互に対応するレセプタクルコネクタと電気的に接続され、かつ前記相互に対応するレセプタクルコネクタが前記プラグコネクタを収容できる収容空間を備え、かつ前記回路板上に前記第１係合部に対応する第２係合部が設けられ、前記プラグコネクタと前記相互に対応するレセプタクルコネクタを、前記第１係合部により覆い、かつ前記回路板上に固定することができる。
【００１３】
上述の第１係合部は冂字状の蓋体であり、かつ前記第１係合部は両側にそれぞれ一対のツメを備え、前記一対のツメは相互に対称であり、かつ前記一対のツメの間に距離を備え、前記一対のツメが圧迫を受けると弾性変形が起こされ、前記回路板の第２係合部は前記第１係合部に合わせた箇所に対応する嵌合孔を備えている。
【図面の簡単な説明】
【００１４】
【図１】本発明の一実施例の電気コネクタアセンブリの立体分解図である。
【図２】本発明の一実施例の電気コネクタアセンブリの立体組立図である。
【図３】図３Ａは、図２の本発明の電気コネクタアセンブリの結合固定時における動作を示すＡ−Ａ線に沿った断面図である。図３Ｂは、図２の本発明の電気コネクタアセンブリの結合固定時における動作を示すＡ−Ａ線に沿った断面図である。図３Ｃは、図２の本発明の電気コネクタアセンブリの結合固定時における動作を示すＡ−Ａ線に沿った断面図である。
【図４】本発明の電気コネクタアセンブリの別の一実施例の立体分解図である。
【図５】本発明の電気コネクタアセンブリのさらに別の一実施例の立体分解図である。
【図６】本発明の電気コネクタアセンブリのさらにまた別の一実施例の立体組立図である。
【図７】図７Ａは、図６の本発明の電気コネクタアセンブリの結合固定時における動作を示すＢ−Ｂ線に沿った断面図である。図７Ｂは、図６の本発明の電気コネクタアセンブリの結合固定時における動作を示すＢ−Ｂ線に沿った断面図である。図７Ｃは、図６の本発明の電気コネクタアセンブリの結合固定時における動作を示すＢ−Ｂ線に沿った断面図である。
【発明を実施するための形態】
【００１５】
本発明について、以下で本発明の最良の実施例の添付図面を含めて詳細に説明するが、この説明の前に、当業者であれば本文中で説明する創作を変更し、本発明の効果を達成することが可能であることを理解すべきである。このため、以上の説明は当業者にとって広範な開示であり、その内容は本発明を限定しない。
【実施例１】
【００１６】
図１と図２に本発明の一実施例の電気コネクタアセンブリの立体分解図と立体組立図をそれぞれ示す。本発明の一実施例の電気コネクタアセンブリ１００は、プラグコネクタ１と、相互に対応するレセプタクルコネクタ２を含む。ケーブルに連結される前記プラグコネクタ１が、回路板３上に前記相互に対応するレセプタクルコネクタ２と電気的に接続され、かつ前記プラグコネクタ１が絶縁本体を備える。前記絶縁本体に第１係合部１０が設けられ、前記相互に対応するレセプタクルコネクタ２が前記プラグコネクタ１を収容できる収容空間を備え、かつ前記回路板３上に前記プラグコネクタ１の第１係合部１０に対応する第２係合部３０が設けられることで、前記プラグコネクタ１を前記回路板３上に組み込み、固定することができる。
【００１７】
続いて図１と図２を参照する。本実施例において、前記第１係合部１０は前記絶縁本体から下方向に延伸して形成され、かつ前記第１係合部１０は一対のツメであり、前記一対のツメは相互に対称であり、かつ前記一対のツメの間に距離ｄ（図３参照）を備え、前記一対のツメが圧迫を受けると弾性変形が起こされ、前記回路板３の第２係合部３０は前記第１係合部１０の前記一対のツメに合わせた嵌合孔である。
【００１８】
図３Ａから図３Ｃに、図２の本発明の一実施例の電気コネクタアセンブリの結合固定時における動作を示すＡ−Ａ線に沿った断面図を示す。前記プラグコネクタ１を前記レセプタクルコネクタ２と相互に連結するときは、前記プラグコネクタ１が下に向かって垂直に配置する方式で前記相互に対応するレセプタクルコネクタ２の収容空間内に配置される。このとき、前記第１係合部１０は前記回路板３の第２係合部３０に位置合わせされ、かつ前記第１係合部１０の一対のツメの直径幅が前記嵌合孔３０の直径幅より大きいため、図３Ａに示すように、前記一対のツメが前記回路板３の第２係合部３０の嵌合孔により阻まれる。そして、図３Ｂに示すように、前記一対のツメが相互に内側に窄まり、相互間の距離が短縮され、弾性変形が起こされる。前記第１係合部１０の一対のツメが前記回路板３上の第２係合部３０の嵌合孔に穿通されると、図３Ｃに示すように、最後に前記回路板３上に係止され、本発明の電気コネクタアセンブリ１００のプラグコネクタ１と前記レセプタクルコネクタ２の組み込みが完了し、前記プラグコネクタ１が前記レセプタクルコネクタ２としっかりと電気的に接続されるだけでなく、前記回路板３上にしっかり組み込まれて固定される。
【実施例２】
【００１９】
図４に本発明の電気コネクタアセンブリの別の一実施例の立体分解図を示す。本実施例の電気コネクタアセンブリ１００の構造は、図１の実施例の電気コネクタアセンブリ１００の構造とほぼ同じである。但し、本実施例の第１係合部１１は前記絶縁本体の両側端部から延伸されて形成され、かつ図に示すように、延伸された部分が前記レセプタクルコネクタ２の両側端部を越えて、前記回路板３の第２係合部３０にも、図に示すように、前記絶縁本体の両側端部から延伸された前記第１係合部１０に対応する箇所に嵌合孔が設けられている点が異なる。
【実施例３】
【００２０】
図５と図６に本発明の電気コネクタアセンブリのさらに別の一実施例の立体分解図と立体組立図をそれぞれ示す。本発明の電気コネクタアセンブリ１００’は、プラグコネクタ１’と、相互に対応するレセプタクルコネクタ２’と、前記プラグコネクタ１’と前記相互に対応するレセプタクルコネクタ２’上を覆う第１係合部４を含む。ケーブルに連結される前記プラグコネクタ１’が、回路板３’上に前記相互に対応するレセプタクルコネクタ２’と電気的に接続され、かつ前記相互に対応するレセプタクルコネクタ２’が前記プラグコネクタ１’を収容できる収容空間を備え、かつ前記回路板３’上に前記第１係合部４に対応する第２係合部３０’が設けられ、前記プラグコネクタ１’と前記相互に対応するレセプタクルコネクタ２’を、前記第１係合部４により覆い、かつ前記回路板３’上に固定することができる。
【００２１】
続けて図５と図６を参照する。本実施例において、前記第１係合部４は略冂字状の蓋体であり、かつ前記第１係合部４は両側にそれぞれ一対のツメを備え、前記一対のツメは相互に対称であり、かつ前記一対のツメの間に距離ｄ’を備え、前記一対のツメが圧迫を受けると弾性変形が起こされ、前記回路板３’の第２係合部３０’は前記第１係合部４に合わせた箇所に対応する嵌合孔を備えている。
【００２２】
図７Ａから図７Ｃに、図６の本発明の電気コネクタアセンブリの結合固定時における動作を示すＢ−Ｂ線に沿った断面図を示す。本発明の電気コネクタアセンブリ１００’のプラグコネクタ１’を前記レセプタクルコネクタ２’と電気的に接続するときは、前記プラグコネクタ１’が前記レセプタクルコネクタ２’の上方に配置され、かつ前記プラグコネクタ１’が下に向かって垂直に配置する方式で前記相互に対応するレセプタクルコネクタ２’の収容空間内に配置され、前記第１係合部４（冂字状の蓋体）で前記プラグコネクタ１’と前記相互に対応するレセプタクルコネクタ２’の上方を覆う。このとき、前記第１係合部４の両側の一対のツメが前記回路板３’の第２係合部３０’の嵌合孔に位置合わせされ、かつ前記第１係合部４の両側の一対のツメの直径幅が前記嵌合孔３０’の直径幅より大きいため、図７Ａに示すように、前記一対のツメが前記回路板３’の第２係合部３０’の嵌合孔により阻まれる。そして、図７Ｂに示すように、前記一対のツメが相互に内側に窄まり、相互間の距離が短縮され、弾性変形が起こされ、前記第１係合部４の両側の一対のツメが前記回路板３上の第２係合部３０’の嵌合孔に穿通される。すると、図７Ｃに示すように、最後に前記回路板３’上に係止され、本発明の電気コネクタアセンブリ１００’のプラグコネクタ１’と前記レセプタクルコネクタ２’の組み込みが完了し、前記プラグコネクタ１’が前記レセプタクルコネクタ２’としっかりと電気的に接続されるだけでなく、前記第１係合部４により覆われ、前記回路板３’上にしっかり組み込まれて固定される。
【００２３】
本発明の電気コネクタアセンブリは、前記プラグコネクタの第１係合部と前記回路板上に対応して設置された第２係合部により、前記プラグコネクタを回路板上に固定して、前記プラグコネクタをしっかりと前記レセプタクルコネクタと電気的に接続するだけでなく、前記回路板上にしっかりと組み込み、固定することができる。また、本発明の電気コネクタアセンブリは、別途追加した第１係合部により、前記プラグコネクタをしっかりと前記レセプタクルコネクタと電気的に接続するだけでなく、前記第１係合部により覆うことで、前記回路板上にしっかりと組み込むことができる。
【符号の説明】
【００２４】
１００、１００’    電気コネクタアセンブリ
１、１’        プラグコネクタ
２、２’        レセプタクルコネクタ
３、３’        回路板
４              第１係合部（冂字状の蓋体）
１０、１１      第１係合部（ツメ）
３０、３０’    第２係合部（嵌合孔）
ｄ、ｄ’        距離
【図１】
2016146342.tif 000003
【図２】
2016146342.tif 000004
【図３】
2016146342.tif 000005
【図４】
2016146342.tif 000006
【図５】
2016146342.tif 000007
【図６】
2016146342.tif 000008
【図７】
2016146342.tif 000009